(57)【要約】【課題】ケーブルの結線作業性に優れ、接続信頼性の高いケーブル接続用コネクタの提供を目的とする。【解決手段】  コンタクト端子、結線部材及び開放部材をハウジング内に収容してあり、前記結線部材はケーブルの芯線を前記コンタクト端子に弾性付勢力にて直接又は間接的に結線する結線部を有し、前記開放部材は前記結線部材の弾性付勢力に対抗して前記結線部を開放状態に仮保持するためのものであり、前記結線部を開放部材にて開放状態にした状態でコンタクト端子と結線部との間にケーブルの芯線を挿入し、前記ハウジングに設けた開閉自在の上ケースを閉じると前記上ケースに設けた結線作動部が前記開放部材の仮保持状態を解除し、ケーブルの芯線がコンタクト端子に結線されるものであることを特徴とする。【選択図】  図１
2016213020.tif 000002
【特許請求の範囲】
【請求項１】
コンタクト端子、結線部材及び開放部材をハウジング内に収容してあり、
前記結線部材はケーブルの芯線を前記コンタクト端子に弾性付勢力にて直接又は間接的に結線する結線部を有し、
前記開放部材は前記結線部材の弾性付勢力に対抗して前記結線部を開放状態に仮保持するためのものであり、
前記結線部を開放部材にて開放状態にした状態でコンタクト端子と結線部との間にケーブルの芯線を挿入し、前記ハウジングに設けた開閉自在の上ケースを閉じると前記上ケースに設けた結線作動部が前記開放部材の仮保持状態を解除し、ケーブルの芯線がコンタクト端子に結線されるものであることを特徴とするケーブル接続用コネクタ。
【請求項２】
前記結線部材の結線部は結線方向に弾性付勢された弾性片に形成してあり、
前記開放部材は弾性付勢力に対抗して結線部が開放状態になるように前記弾性片を載置することで仮保持できる立設部を有し、
前記上ケースに設けた結線作動部は上ケースを閉じると弾性片を立設部から外れる方向に押圧移動させるものであることを特徴とする請求項１記載のケーブル接続用コネクタ。
【請求項３】
前記弾性片はケーブルの芯線を挿入する開口部を有するとともに開口部の端部に結線部を形成してあり、
前記開放部材の立設部に前記開口部の端部に形成した結線部を載置することで開放状態にでき、前記上ケースに設けた結線作動部は上ケースを閉じると前記立設部に載置した結線部を立設部から外れる方向に前記弾性片を押圧移動させるものであることを特徴とする請求項２記載のケーブル接続用コネクタ。
【請求項４】
前記ハウジングはケーブルを当該ハウジングに挿入した状態を弾性保持するためのケーブル保持部材を有することを特徴とする請求項１〜３のいずれかに記載のケーブル接続用コネクタ。
【発明の詳細な説明】
【技術分野】
【０００１】
本発明は、コンタクト端子にケーブルの芯線を結線したコネクタに関する。
【背景技術】
【０００２】
例えば、複数のソーラーパネルを中継コネクタを用いて制御部等とケーブル接続する場合に、これまではソーラーパネル等の設置現場にてケーブルの芯線を専用圧着工具によりターミナルに結線していた。
これでは現場での結線作業が大変であり、特に高所作業になると専用工具等を落下させる恐れもあった。
そこで本出願人は、先にケーブルの結線作業性に優れたコネクタを提案している（特許文献１）。
本発明は、さらに結線作業性の向上を目的に本発明に至った。
【先行技術文献】
【特許文献】
【０００３】
【特許文献１】特願２０１３−２３０７４４号
【発明の概要】
【発明が解決しようとする課題】
【０００４】
本発明は、ケーブルの結線作業性に優れ、接続信頼性の高いケーブル接続用コネクタの提供を目的とする。
【課題を解決するための手段】
【０００５】
本発明に係るケーブル接続用コネクタは、コンタクト端子、結線部材及び開放部材をハウジング内に収容してあり、前記結線部材はケーブルの芯線を前記コンタクト端子に弾性付勢力にて直接又は間接的に結線する結線部を有し、前記開放部材は前記結線部材の弾性付勢力に対抗して前記結線部を開放状態に仮保持するためのものであり、前記結線部を開放部材にて開放状態にした状態でコンタクト端子と結線部との間にケーブルの芯線を挿入し、前記ハウジングに設けた開閉自在の上ケースを閉じると前記上ケースに設けた結線作動部が前記開放部材の仮保持状態を解除し、ケーブルの芯線がコンタクト端子に結線されるものであることを特徴とする。
ここでコンタクト端子には、ソケット端子、プラグ端子等が含まれる。
開放部材とは、ケーブルの芯線をコンタクト端子に直接又は間接的に結線する際に、このケーブルの芯線をコンタクト端子と結線部材に設けた結線部材との間に挿入しやすいように、この結線部が芯線に係止しないように結線部材の弾性付勢力に対抗して、開放状態にしておくためのものである。
また、ケーブルの芯線をコンタクト端子に直接又は間接的に結線すると表現したのは、ケーブルの芯線をコンタクト端子に電気接続する際にケーブルの芯線を直接コンタクト端子に接触させる場合のみならず、間に他の端子を挟み込み電気接続する場合も含める趣旨である。
本発明のコネクタは、例えばソーラーパネル等のケーブル接続に用いられるコネクタのみならずケーブルを電気接続するのに用いられる各種コネクタも含まれる。
【０００６】
本発明はハウジングにケーブルを挿入し、上ケースを閉じるだけで結線が完了する点に特徴がある。
その態様としては、前記結線部材の結線部は結線方向に弾性付勢された弾性片に形成してあり、前記開放部材は弾性付勢力に対抗して結線部が開放状態になるように前記弾性片を載置することで仮保持できる立設部を有し、前記上ケースに設けた結線作動部は上ケースを閉じると弾性片を立設部から外れる方向に押圧移動させるものである場合を例として挙げることができる。
さらに具体的には、前記弾性片はケーブルの芯線を挿入する開口部を有するとともに開口部の端部に結線部を形成してあり、前記開放部材の立設部に前記開口部の端部に形成した結線部を載置することで開放状態にでき、前記上ケースに設けた結線作動部は上ケースを閉じると前記立設部に載置した結線部を立設部から外れる方向に前記弾性片を押圧移動させるものである態様が挙げられる。
【０００７】
本発明において、前記ハウジングはケーブルを当該ハウジングに挿入した状態を弾性保持するためのケーブル保持部材を有するようにしてもよい。
このようにすると、上ケースを閉じる前に不本意にケーブルがハウジングから抜けるのを防止する。
【発明の効果】
【０００８】
本発明に係るコネクタは、結線部の弾性付勢力が開放された状態でコンタクト端子と結線部との間にケーブルの芯線を挿入するので容易に挿入でき、その状態でハウジングの上ケースを閉じるだけで開放状態が解除され、結線状態になるので従来の手作業による解除に比較して接続の信頼性が高い。
【図面の簡単な説明】
【０００９】
【図１】（ａ）〜（ｄ）は本発明に係るコネクタにケーブルを接続する手順を示し、（ｅ）はケーブルの芯線の結線を解除する方法例を示す。
【図２】本発明に係るコネクタに収容された端子類の外観図を示す。（ａ）はコンタクト端子、結線部材及び開放部材を組み合せた後方斜視図を示し、（ｂ）はその上方から見た斜視図を示す。（ｃ）はコンタクト端子、結線部材及び開放部材の分解図を示す。
【図３】本発明を適用したソケットコネクタにプラグコネクタを嵌合接続する例を示し、（ａ）は接続前、（ｂ）は接続後を示す。
【図４】（ａ）は本発明に係るコネクタの上ケースを開いた状態を示す。（ｂ），（ｃ）は図３に示したソケットコネクタとプラグコネクタとの外観図を示す。
【発明を実施するための形態】
【００１０】
本発明に係るコネクタの構造例を以下、ソケットコネクタにて説明するが、本発明は各種コネクタに適用できる。
【００１１】
本発明に係るコネクタ１０の断面図を図１に示し、外観図を図４（ａ）に示す。
本発明に係るコネクタ１０を構成するコンタクト端子１２，結線部材１３及び開放部材１４の組み合せ構造例及び単品図を図２に示す。
ハウジング１１の内部にこれらの端子類が収容されている。
図２に示すようにコンタクト端子１２にはソケット部１２ａの後方にプレート状の連結部１２ｂを有し、この連結部１２ｂには後述する開放部材１４の基部をガイドする一対の立設片１２ｄ，基部の端部を挿入支持する爪部１２ｃ及び、開放部材１４の係止孔１４ｄに係合する係止爪１２ｅを有する。
また、ソケット部１２ａの外周部には、ハウジングに挿入係止するためのランス１２ｆを有する。
結線部材１３は弾性材で製作され、コンタクト端子１２の連結部１２ｂの裏面に重なるベース部１３ａと、このベース部１３ａの先端側から裏面に折り返し、さらに先端側を略Ｌ字形状に上方に折り返した弾性片１３ｂを有する。
弾性片１３ｂは、開口部１３ｃを形成し、この開口部上端部が結線部１３ｄとなり、芯線１ａの上側の側部に弾性係止する。
弾性片１３ｂは、上縁部が後方に湾曲した曲面部１３ｅとなり、左右のサイド部は後方に折り返すことで強度アップを図っている。
この弾性片１３ｂは、上下方向及び前後方向に弾性変形可能である。
開放部材１４も弾性材で製作され、基部１４ｆから左右一対の立設部１４ａを有し、その上端部に結線部１３ｄを仮保持するための載置部１４ｂを形成してある。
基部１４ｆには、係止孔１４ｄと芯線１ａの下部に当接する突起部１４ｅを有する。
本実施例では、開放部材１４にも芯線１ａと弾性接触するための接触部１４ｃを設けた例になっている。
【００１２】
ハウジング１１は、図１，４に示すようにハウジング本体部１１ａと、このハウジング本体部を収容した下ケース１１ｂと上ケース１１ｃを有する。
ハウジング本体部１１ａの内部には、コンタクト端子１２，結線部材１３及び開放部材１４を図２（ａ）に示した組み合せ状態にて収容され、このハウジング本体部１１ａの上部には挿入された芯線１ａを確認するための開口された窓部１１ｊを有する。
下ケース１１ｂには、一辺が軸部１１ｄで回動自在に連結された上ケース１１ｃをハウジング本体部１１ａの上部を塞ぐように閉じると、この結線作動部１１ｆが窓部１１ｊを経由してハウジング内部に突入する。
上ケース１１ｃと下ケース１１ｂとの開閉は、爪部１１ｈと係止部１１ｇとの係合による。
また、下ケース１１ｂに設けたケーブル１の挿入孔１１ｅには、バネ材からなるケーブル保持部材１５を設けることでケーブル１を挿入し、結線前にこのケーブルが抜け方向に移動するのを防止している。
ハウジング本体部１１ａの後部は、ケーブル１の外周部に当接するシール片１６ａを設けたシール部材１６にて塞がれている。
ハウジング１１のソケット収容部１１ｉの外周部には、Ｏリング１７を取り付けてある。
これにより、相手側コネクタとの間をシールする。
【００１３】
次に、図１に基づいて結線手順を説明する。
図１（ａ）の状態は、上ケース１１ｃが開き、弾性片１３ｂの開口部１３の上端部に設けた結線部１３ｄが、開放部材１４に設けた左右一対の立設部１４ａの上端部の載置部１４ｂに載置され、開放状態に仮保持されている。
この状態で、ケーブル１の芯線１ａをコンタクト端子１２と結線部１３ｄとの間に開口部１３ｃから挿入したのが、図１（ｂ）の状態である。
この時点では、芯線１ａに開放部材１４の接触部１４ｃが弾性接触し、ケーブル１の被覆部はケーブル保持部材１５にて弾性保持され、シール片１６ａにて外周部がシールされている。
次に、上ケース１１ｃを閉じると図１（ｃ），（ｄ）に示すように、結線作動部１１ｆが窓部１１ｊを経由して進入し、結線作動部１１ｆの先端斜面部が弾性片１３ｂの上端部の曲面部１３ｅに摺接することで、弾性片１３ｂが後方に移動し、載置部１４ｂに仮保持されていた結線部１３ｄがこの載置部１４ｂから外れる。
これにより、弾性片１３ｂが弾性復帰力により下方に戻り、結線部１３ｄが芯線１ａの上側の側部に係止し、結線される。
ケーブル１をコネクタ１０から取り外したい場合には、図１（ｅ）に示すように上ケース１１ｃを開き、窓部１１ｊからドライバー等の工具２の先を差し込み、弾性片１３ｂを上方に引き上げ、結線部１３ｄを開放部材１４の載置部１４ｂに載置させればよい。
【００１４】
図３及び図４（ｂ），（ｃ）には、プラグコンタクト２２を有するプラグコネクタ２０を本発明に係るソケットコネクタ１０に係合接続する例を示す。
プラグコネクタ２０のハウジング２１の嵌合部２１ａに、ソケットコネクタ１０のソケット収容部１１ｉを挿入嵌合することで、Ｏリング１７が嵌合部２１ａの内周面との間をシールする。
また、図４（ｂ），（ｃ）に示すようにコネクタ間にもロック爪１１ｋと係止部２１ｂとが設けられている。
【符号の説明】
【００１５】
１        ケーブル
１ａ      芯線
１０      コネクタ
１１      ハウジング
１１ａ    ハウジング本体部
１１ｂ    下ケース
１１ｃ    上ケース
１１ｆ    結線作動部
１１ｊ    窓部
１２      コンタクト端子
１３      結線部材
１３ｂ    弾性片
１３ｃ    開口部
１３ｄ    結線部
１４      開放部材
１４ａ    立設部
１５      ケーブル保持部材
【図１】
2016213020.tif 000003
【図２】
2016213020.tif 000004
【図３】
2016213020.tif 000005
【図４】
2016213020.tif 000006